(57)【要約】【課題】アタッカが所定数の遊技球の入賞で閉塞する場合に、アタッカの開放している時間が短くなりすぎるのを防止する。【解決手段】アタッカ６は、大入賞口６１と、大入賞口６１を開閉する開閉扉６２と、大入賞口６１から流入した遊技球が左右に移動可能とされる内部入賞室６５とを備える。内部入賞室６２の右端部には、遊技球の入賞を検知する大入賞球検知センサ６３を備える内部入賞口６６が設けられている。内部入賞室６５の床板７８は、内部入賞口６６に向って下り傾斜するとともに、開閉扉６２の閉塞時の下側縁より遊技球の径の半分程度以上の距離だけ下方に設けられている。開閉扉６２の開放時に遊技球が載る側の面には、開放した開閉扉６２の右端部に流入した遊技球を、内部入賞室６５に流入する前に、左側に向って誘導する誘導片７４が設けられている。【選択図】図４
2012170585.tif 000002
【特許請求の範囲】
【請求項１】
遊技盤と、前記遊技盤の前面に設けられ、発射された遊技球が流下する遊技領域と、前記遊技盤の前記遊技領域に設けられ、略垂直に配置されて前記遊技球が入賞不可能な閉じた状態から、前側に略水平に倒れるように、下側縁部周りに回転することによって前記遊技球が入賞可能な開いた状態になる左右に長い開閉扉を備える特別変動入賞装置と、前記特別変動入賞装置の通常は閉じた状態の前記開閉扉を、所定の条件の成立に基づいて開閉を繰り返すように駆動制御する特別変動制御手段とを備え、
前記遊技球は、前記遊技領域の上部の左右側部のうちの一方側から前記遊技領域に導入されて、他方側に向うように発射され、
前記特別変動入賞装置は、前記遊技領域の前記遊技球の導入位置より下側に配置されるとともに、前記遊技領域の左右の中央部より前記他方側に配置され、
前記遊技球の発射に際して、前記遊技領域の上部の一方側から導入される前記遊技球が前記遊技領域の他方側に至る程度の発射勢とされた場合に、前記特別変動入賞装置の開放された前記開閉扉の中央部より前記遊技領域の他方側から前記遊技球が流入し易い状態になる遊技機において、
前記特別変動入賞装置は、前記開閉扉と、
前記開閉扉により開閉される前記開閉扉と略同形状の開口部と、
前記開口部から流入した前記遊技球が左右に移動可能とされる内部入賞室とを備え、
前記内部入賞室には、前記遊技球の入賞を検知する入賞検知手段を備える内部入賞口が、当該内部入賞室の左右の中央より前記遊技領域の他方側に設けられ、
前記内部入賞室の床板は、前記内部入賞口に向って下り傾斜するとともに、前記開閉扉の閉塞時の下側縁より前記遊技球の径の半分程度以上の距離だけ下方に設けられ、
前記開閉扉の開放時に前記遊技球が載る側の面には、開放した前記開閉扉の前記遊技領域の他方側の端部上に流入した前記遊技球を、前記内部入賞室に流入する前に、前記遊技領域の一方側に向って誘導する誘導片が設けられていることを特徴とする遊技機。
【発明の詳細な説明】
【技術分野】
【０００１】
本発明は、パチンコ店などの遊技場に設置して使用される遊技機に関するものである。
【背景技術】
【０００２】
パチンコ遊技機等の遊技球を遊技盤の前面に設けられた遊技領域に発射して、遊技領域内を流下する遊技球に基いて遊技を行う遊技機が知られている。このようは遊技機では、例えば、遊技球の始動入賞口への入賞に基いて表示装置で行われる変動表示ゲームの抽選で大当たりになった場合や、遊技球の始動入賞口への入賞に基いて開放する変動入賞装置に入賞した遊技球が特定領域を通過した場合などに、大当たり状態としてアタッカ（特別変動入賞装置）が開放して多くの遊技球を入賞可能としている。
【０００３】
一般的に、アタッカは、開閉する扉を備えており、この扉は、略垂直に立って閉じた状態と、前方に略水平に倒れて開いた状態との間で変動するようになっている。また、扉は左右に長い略矩形状に形成され、遊技盤のこの扉の部分に扉により開閉される開口部（大入賞口）が形成されている。この開口部は、略垂直な状態になっており、単に開口部を開放した状態としても、遊技球が流入し難いが、開放した扉が開口部の下部側で水平より僅かに開口部側に下り傾斜して配置されることにより、遊技領域を流下して扉上に載った遊技球が開口部側に誘導されることにより、この開口部に遊技球が流入し易い状態としている。また、開口部内には、遊技球の入賞を検知するセンサが設けられている。
【０００４】
このようなアタッカでは、例えば、扉の一回の開放時間が最大３０秒程度以下で、開放中に所定数（例えば、９個や１０個）の遊技球が入賞することに基いて最大開放時間が経過する前であっても、扉が閉じるようになっている。すなわち、遊技球の所定数のアタッカへの入賞が開放したアタッカを閉塞する条件になっている。また、このような扉が開放してから扉が閉じるまでの開閉動作を１ラウンドとし、このラウンドを所定回数、例えば、１６回程度以下だけ行うようになっている。
【０００５】
また、従来は、アタッカ内にＶゾーンと呼ばれる特定領域とそれ以外の一般領域が設けられ、上述のラウンドを複数回行う場合に、前のラウンドでアタッカに流入した遊技球のうちの少なくとも１つがＶゾーンを通過した場合にのみ、次のラウンドを行う設定になっている遊技機が一般的であった。したがって、その当時、アタッカ内に遊技球をＶゾーンに誘導する機構が設けられることが一般的であった。
【０００６】
例えば、アタッカ内の左右の中央部にＶゾーンを設け、扉の背面の左右に、アタッカ内の左右側縁部への遊技球の流入を防止するとともに、中央部のＶゾーンに向けて遊技球を誘導するリブを設けたアタッカが知られている（例えば、特許文献１参照）。この構成の場合に、Ｖゾーンとその左右の狭い領域にだけ遊技球が流入する状態になるので、リブが無い場合に比較してＶゾーンへの遊技球の通過率が高くなり、例えば、アタッカの閉塞条件になる個数の遊技球がアタッカに流入した際に、高い確率で一つ以上の遊技球がＶゾーンを通過する状態になる。
【０００７】
現状では、アタッカ内に流入した遊技球は、全て同等に一つのセンサで検知される設定になっており、Ｖゾーンを通過する遊技球を検知するセンサが無い設定になっている。すなわち、現状の遊技機では、アタッカ内にＶゾーンが無いのが一般的であり、ラウンドの続行に遊技球のＶゾーン通過を必要としないものになっている。
【０００８】
したがって、現状では、アタッカ内にＶゾーンに遊技球を誘導する機構が設けられておらず、アタッカ内の特定個所に遊技球が誘導されることがない。ただし、アタッカ内に流入した遊技球を検知するセンサの設置個所側に、アタッカ内に流入した遊技球を誘導する傾斜等が設けられ、アタッカ内に流入した遊技球は、必ずセンサの検知位置を一回だけ通過してから排出されるようになっている。
【先行技術文献】
【特許文献】
【０００９】
【特許文献１】特開２００５−２３７８７５号公報
【発明の概要】
【発明が解決しようとする課題】
【００１０】
ところで、遊技領域におけるアタッカの配置位置は、遊技領域の中央部より下側で、左右の中央部とする場合と、遊技領域の向って右側とする場合とがある。
遊技領域の左右の中央部の下部にアタッカを設けた場合には、基本的に遊技球の発射勢を弱めにし、天釘に遊技球を当てるなどして、遊技領域の上部の中央部から下方に遊技球が流下するようにすることによって、アタッカへの遊技球の入賞率が高くなるようになっている。
【００１１】
なお、遊技領域の左右および上下の中央部には表示装置や変動入賞装置等があって、遊技領域の上部で左右の中央部を流下する状態になった遊技球がそのまま遊技領域の下部まで中央部を流下できない構成になっているのが一般的である。但し、遊技釘によって遊技球が誘導され、上下の中央部で左右側部のいずれかを流下する遊技球の一部が遊技領域の下部の中央部にあるアタッカ側に向けて誘導されるようになっている。
この場合には、アタッカ側に誘導されない遊技球もあることから、アタッカへの遊技球の入賞率が制限され、例えば、アタッカに１０個の遊技球が入賞してアタッカが閉じるまでに有る程度の時間を必要とする。
【００１２】
それに対して、アタッカを遊技領域の向って右側に設けた場合には、発射勢を強くすることにより、遊技領域の上部の左側から遊技領域内に流入した遊技球を、遊技領域の右側縁部に至らせ、この遊技球を遊技領域の右側縁部側に流下させることにより、アタッカに遊技球を入賞させることができる。この場合に、アタッカは、遊技球の流下位置より僅かに左側にあるので、遊技球は、アタッカの主に右側からアタッカに流入する状態になる。
この場合に、一般的にアタッカを遊技領域の下部の中央部に設けた場合よりも、遊技球の入賞率が高く、例えば、アタッカに１０個の遊技球が入賞してアタッカが閉じるまでに必要な時間が短くなる。
【００１３】
アタッカが上述のラウンドを複数行う大当たり状態の際に、例えば、表示装置で大当たり状態の演出表示が行われる。この際に、一般的にラウンドごとに表示演出が行われ、さらにアタッカの扉が開放している間の演出と、扉がとじてから次に開放するまでのラウンド間の演出を分けて行う場合がある。扉が開放している間の表示演出は、扉が閉じることによって終了するが、扉が開いている時間は、そのときの状況によって短くなったり、長くなったりするので、ストーリ性のある表示演出の場合に、表示演出のストーリの部分が扉が開いている時間で最短になる時間を想定して作成される。
【００１４】
そのため、扉が開いている最短時間が短いと、表示演出の内容がかなり制限されてしまうという問題がある。なお、ストーリ部分が表示された後もアタッカが開放している場合には、ストーリの最後の部分を表示し続けるなどして、アタッカが閉塞するのを待機するような表示演出が行われる。
【００１５】
また、遊技球を発射してから開放した状態のアタッカに至る時間は、必ずしも一定でなく、同じ間隔で遊技球が発射されていても、２，３個の遊技球が略同時にアタッカに流入する場合がある。この場合に、アタッカ内を遊技球が円滑にセンサ側に流下せずに、遊技球の流れが滞る状態になる虞がある。
【００１６】
また、アタッカの扉が閉塞する段階で、複数の遊技球が略同時にアタッカに流入する状態になると、遊技球の流入と扉の閉塞とにより、アタッカ内での遊技球の流下が阻害されたり、扉に遊技球が挟まれたりする虞がある。
遊技球が用いられる場合に、可能性が低くとも、遊技球の球詰まりを考慮する必要があり、上述のような遊技球の円滑な流れを阻害する要因に対処した構造とすることが好ましい。
【００１７】
本発明は、前記事情に鑑みて為されたもので、アタッカとしての特別変動入賞装置が所定数の遊技球の入賞で閉塞する場合に、特別変動入賞装置の開放している時間が短くなりすぎるのを防止するとともに、遊技球が円滑に特別変動入賞装置内の遊技球の検知位置を流下可能とする遊技機を提供することを目的とする。
【課題を解決するための手段】
【００１８】
前記課題を解決するために、請求項１に記載の遊技機は、遊技盤と、前記遊技盤の前面に設けられ、発射された遊技球が流下する遊技領域と、前記遊技盤の前記遊技領域に設けられ、略垂直に配置されて前記遊技球が入賞不可能な閉じた状態から、前側に略水平に倒れるように、下側縁部周りに回転することによって前記遊技球が入賞可能な開いた状態になる左右に長い開閉扉を備える特別変動入賞装置と、前記特別変動入賞装置の通常は閉じた状態の前記開閉扉を、所定の条件の成立に基づいて開閉を繰り返すように駆動制御する特別変動制御手段とを備え、
前記遊技球は、前記遊技領域の上部の左右側部のうちの一方側から前記遊技領域に導入されて、他方側に向うように発射され、
前記特別変動入賞装置は、前記遊技領域の前記遊技球の導入位置より下側に配置されるとともに、前記遊技領域の左右の中央部より前記他方側に配置され、
前記遊技球の発射に際して、前記遊技領域の上部の一方側から導入される前記遊技球が前記遊技領域の他方側に至る程度の発射勢とされた場合に、前記特別変動入賞装置の開放された前記開閉扉の中央部より前記遊技領域の他方側から前記遊技球が流入し易い状態になる遊技機において、
前記特別変動入賞装置は、前記開閉扉と、
前記開閉扉により開閉される前記開閉扉と略同形状の開口部と、
前記開口部から流入した前記遊技球が左右に移動可能とされる内部入賞室とを備え、
前記内部入賞室には、前記遊技球の入賞を検知する入賞検知手段を備える内部入賞口が、当該内部入賞室の左右の中央より前記遊技領域の他方側に設けられ、
前記内部入賞室の床板は、前記内部入賞口に向って下り傾斜するとともに、前記開閉扉の閉塞時の下側縁より前記遊技球の径の半分程度以上の距離だけ下方に設けられ、
前記開閉扉の開放時に前記遊技球が載る側の面には、開放した前記開閉扉の前記遊技領域の他方側の端部上に流入した前記遊技球を、前記内部入賞室に流入する前に、前記遊技領域の一方側に向って誘導する誘導片が設けられていることを特徴とする。
【００１９】
請求項１に記載の発明においては、遊技領域上部の左側（左右の一方側）から発射された遊技球が遊技領域に導入されるものとすると、いわゆる右打ちした場合に、開放した状態の特別変動入賞装置の主に右側（左右の他方側）からこの特別変動入賞装置（アタッカ）に遊技球が入賞する状態になる。ここでは、開放した状態の特別変動入賞装置の右端部側に遊技球が至った場合について説明する。
【００２０】
開放された特別変動入賞装置に遊技球が流入する場合には、まず、遊技球が開いた開閉扉の背面の右端寄りの位置に載った後に、開口部内に流入する。この際に、開閉扉の背面に誘導片が設けられていることにより、遊技球は誘導片により右側から左側に向って誘導されながら開口部内に流入する。
【００２１】
開口部から内部入賞室に流入した遊技球は、開放した扉の位置より一段低い内部入賞室の床板上に落下する。床板は、左から右に下り傾斜しており、左側に向う遊技球が右側に向けて下り傾斜する床板上に落下する。この際に、床板に遊技球が衝突して撥ねた状態になり、床板の傾斜に沿って直ぐに遊技球が転動する状態にならず、遊技球が床板の傾斜に沿って転動するまで少しだけ時間がかかる。また、床板への衝突時に、遊技球が左方向でなく、右方向に向っていたとしても、そのときの右方向への速度に基いて遊技球が転動開始する状態にならず、初速が遅くなる可能性がある。
【００２２】
また、遊技球の左側に向う勢いがかなり大きければ、遊技球が一時的に床板の傾斜を登る状態になる可能性もある。この場合に、床板の右側に設けられた内部入賞口から遠ざかる方向に移動する。その後、床板の傾斜に対応して遊技球が右側に向かい内部入賞口に流入して、入賞検知手段に検知される。この際に、特別変動入賞装置が開放してからの入賞検知手段に検知された遊技球の数が例えば特別変動制御手段によりカウントされる。
【００２３】
以上の場合には、遊技球が内部入賞口に流入するまでの間に、扉の背面側を右から左に移動した後に、内部入賞室の床板上を左から右に移動することにより、遊技球が開いた扉上に至ってから入賞検知手段に検知されるまで時間を要することになる。
また、遊技球が床板上に落下した際に、遊技球が床板に衝突して少し撥ねた状態になることによって、床板の傾斜に沿って遊技球が右側に転がり始めるまでに少し時間がかかることになる。すなわち、床板上に至った遊技球が直ぐに右側に転がり始めるのを防止するとともに、傾斜に沿って遊技球が転がる際の初速を遅くすることが可能になる。
【００２４】
以上のことから、開放した状態の開閉扉の背面に至った遊技球が内部入賞室の床板上をスムーズに転がって短時間で内部入賞口に流入するのを阻害し、開閉扉上に載ってから内部入賞口に流入するまでの時間（平均時間）を長くすることができる。
これにより、特別変動入賞装置が開放してから所定数の遊技球が入賞して閉塞するまでの最短時間を少し長くすることができ、特別変動入賞装置が開放している間に行われる演出表示に使用可能な時間を長くすることができる。
【００２５】
また、複数個の遊技球が略同時に普通変動入賞装置に入賞した場合に、誘導片により複数個が略時間差無しに内部入賞口に至るような状態になるのを防止し、遊技球が左右に移動可能な内部入賞室の内部入賞口に僅かに時間差を持って流入させることができる。また、僅かに先に内部入賞室に流入した遊技球は、一段下方に移動することによって、その直後に流入した遊技球の開閉扉から内部入賞室への移動が先に流入した遊技球に阻害され難い状態になる。
【００２６】
すなわち、先に内部入賞室の床板上に落ちた遊技球が後から流入する遊技球より一段低い位置にあるので、先に落ちた遊技球の中心（最も高い位置）より少しだけ左右いずれかにずれた場所に容易に後から来た遊技球が流入可能な状態になる。
【００２７】
これにより、未だ遊技球が載った状態の開閉扉が閉じる場合も、円滑に遊技球を内部入賞室内に流入させることができ、開閉扉に遊技球が挟まれるのを抑制できる。
以上のことから、複数の遊技球が略同時に特別変動入賞装置内に流入する状態になっても、遊技球の流れが滞ったり、閉まる開閉扉に遊技球が挟まれたりするのを抑制することができる。
【発明の効果】
【００２８】
本発明によれば、所定数の遊技球の入賞で開放状態から閉塞状態になる特別変動入賞装置の開放時間が短くなりすぎるのを防止できるとともに、複数の遊技球が同時に開放した特別変動入賞装置に流入するような場合でも、円滑に遊技球を特別変動入賞装置に入賞させることができる。
【図面の簡単な説明】
【００２９】
【図１】本発明の実施の形態に係る遊技機の遊技盤を示す正面図である。
【図２】前記遊技機のベース板を取り外したアタッカを示す斜視図である。
【図３】前記ベース板を取り外した前記アタッカを示す正面図である。
【図４】前記アタッカを示す図であって、（ａ）は正面図であり、（ｂ）（ａ）のＡ−Ａ断面図である。
【図５】前記アタッカの開閉扉を示す図であって、（ａ）は斜視図であり、（ｂ）は正面図であり、（ｃ）は（ｂ）のＢ−Ｂ断面図であり、（ｄ）は（ｂ）のＣ−Ｃ断面図であり、（ｅ）は底面図であり、（ｆ）は上下を逆にした背面図である。
【発明を実施するための形態】
【００３０】
本発明の実施の形態を図面を参照して説明する。
図１に示すように、この実施の形態の遊技機は、所謂デジパチと呼ばれる種類のパチンコ遊技機としての基本的な構成を有するものである。
遊技盤１の正面（前面）のガイドレール９で囲まれた部分に遊技領域２が形成されている。
【００３１】
ガイドレール９は、略円形に形成されるが、向って左側の部分が一部螺旋状に二重にされ、外側のガイドレール９と内側のガイドレール９とに分けられている。内側のガイドレール９と外側のガイドレール９との間が、遊技球発射装置により発射された遊技球を遊技領域２内に誘導する誘導路になっている。この誘導路は、遊技盤１に向って左上部分の内側のガイドレール９の末端部分で遊技領域２に連通している。
【００３２】
したがって、遊技領域２の上部の左右側部の一方側になる左側部から他方側になる右側部に向って遊技球が発射されるようになっている。なお、通常、遊技者は、遊技領域２の上部の左右の中央部に設けられる複数の遊技釘（天釘）に遊技球が当たるくらいの発射勢か、それより少し弱いぐらいの発射勢で遊技球を発射するのが一般的である。それに対して、天釘を越えて遊技領域の上部の右側部側に遊技球を発射することを右打ちと称する。また、遊技者が右打ちする際には、遊技球発射装置の最大発射勢とする場合がある。
【００３３】
遊技盤１の盤面上の遊技領域２内には、その略中央部に可変表示装置（表示装置）３が設けられている。可変表示装置３は、例えば、液晶表示装置からなるもので、当たり抽選手段として機能する制御装置（図示略）で行われる抽選の各種大当たりおよびはずれの抽選結果を表示するものであり、抽選結果の表示に際し装飾図柄の変動表示ゲームを表示し、この変動表示ゲームの大当たりおよびはずれによって上述の抽選結果を報知するようになっている。
【００３４】
遊技領域２の下部には、第１および第２特図表示器４ａ，４ｂが設けられている。第１および第２特図表示器４ａ，４ｂは、例えば、７，８個のセグメントを有するセグメント型の表示装置であり、第１および第２特図ゲームとして上述の変動表示時間だけ変動表示（一部のセグメントを点滅表示）した後に一つもしくは複数の点灯したセグメントから構成される特図（特別図柄：識別情報）を停止表示する。
【００３５】
なお、この実施の形態では、例えば、同時に第１特図ゲームと第２特図ゲームとが行われることがなく、第１特図ゲームと第２特図ゲームとの両方が開始可能な場合には、第２特図ゲームが先に開始され、開始すべき第２特図ゲームが無い場合にだけ、第１特図ゲームが開始される。可変表示装置３で表示される変動表示ゲームは、実行されている第１特図ゲームもしくは第２特図ゲームに対応したものである。
【００３６】
前記可変表示装置３の直ぐ下には、第１始動入賞口５２が設けられている。
また、第１始動入賞口５２の直ぐ下には第２始動入賞口５４を備えた所謂電チューと呼ばれる普通変動入賞装置５が設けられている。
この普通変動入賞装置５は、開閉動作自在な１対の可動片５１，５１を備え、第２始動入賞口５４に遊技球が入賞できないように可動片５１，５１が閉じた状態（閉状態）と、遊技球が入賞し易くなるように可動片５１，５１が開いた状態（開状態）との間で変動するようになっている。
【００３７】
第１始動入賞口５２には、遊技球の入賞を検知する第１始動入賞球検知センサが設けられており、第１始動入賞球検知センサは、制御装置に、遊技球が第１始動入賞口５２に入賞した際に第１始動入賞信号を出力する。
【００３８】
また、第２始動入賞口５４には、遊技球の入賞を検知する第２始動入賞球検知センサが設けられており、第２始動入賞球検知センサは、制御装置に、遊技球が第２始動入賞口５４に入賞した際に第２始動入賞信号を出力する。制御装置は、第１始動入賞信号の入力（所定の乱数取得条件の成立）に基づいて第１特図ゲーム（変動表示ゲーム）の各大当たりおよびはずれを決める乱数を取得し、第２始動入賞信号の入力（所定の乱数取得条件の成立）に基づいて第２特図ゲーム（変動表示ゲーム）の各大当たりおよびはずれを決める乱数の取得を行う。
【００３９】
また、制御装置は、第１特図ゲーム開始時に前記乱数を用いた抽選で第１特図ゲームの大当たりおよびはずれを決定し、第２特図ゲーム開始時に前記乱数を用いた抽選で第２特図ゲームの大当たりおよびはずれを決定する。
【００４０】
また、可変表示装置３の左斜め下方に、大入賞口６１を有するアタッカ６（特別変動入賞装置）が設けられている。このアタッカ６には、大入賞口６１を開閉する開閉扉６２が備えられ、制御装置の制御により、通常行われる通常遊技状態では、開閉扉６２が遊技球を大入賞口６１に流入させないように立って閉じた閉状態になり、第１特図ゲームまたは第２特図ゲームの結果が各大当たりになって大当たり状態が発生した場合に遊技球が流入し易いように前に略水平に倒れて開いた開状態になる。アタッカ６には、その大入賞口６１に入賞した遊技球を検知する大入賞球検知センサ（入賞検知手段：図２等に図示）６３が設けられている。
【００４１】
なお、大当りになった場合には、大当り状態として、例えば、アタッカ６が閉塞状態から開放状態になって再び閉塞状態になる開閉動作を１ラウンドの動作とし、この開閉動作を所定ラウンド数だけ行うようになっている。パチンコ遊技機によって異なる場合があるが、例えば、大当たり状態では、所定ラウンド数が１０〜１６程度になっている。また、ラウンド数は、当たりの種類によって異なる場合がある。
【００４２】
また、アタッカ６の配置位置は、遊技領域２の左右の中央より右側になっており、アタッカ６の開閉扉６２で開閉される開口部としての大入賞口６１全体が遊技領域２の左右の中央より右側の範囲に配置されている。これにより、右打ちをした場合に、開放した状態のアタッカ６に遊技球を容易に入賞させることができる。また、この際に、このパチンコ遊技機では、ガイドレール９や遊技釘の配置により、アタッカ６の左右の中央より右側から主に遊技球が流入するようになっている。
【００４３】
可変表示装置３の左側方には、普通図柄（普図と略す）始動口（スルーチャッカー）７が設けられている。また、普図始動口７に対応して、普図始動口７内を通過した遊技球を検知する図示しない通過球検知センサが設けられ、通過球検知センサは遊技球を検知すると制御装置に通過球検知信号を出力する。当該通過球検知信号の入力に基づいて制御装置は、普通変動入賞装置５を開状態とする当たりと、普通変動入賞装置５を閉状態のままとするはずれとを抽選する普図抽選を行う。なお、この普図抽選の結果は、普図の変動表示ゲーム（以下、普図ゲーム）を普図表示装置８で表示することにより報知される。
【００４４】
上述のように、普図ゲームが当たりになった場合に、普通変動入賞装置５が開放し、普通変動入賞装置５（始動入賞口）への遊技球の入賞率が高まり、変動表示ゲームの開始機会が増加するようになっている。なお、このパチンコ遊技機では、普通変動入賞装置５が開放した場合にだけ、第２始動入賞口５４に遊技球が入賞可能になり、第２特図ゲームの開始機会が増加することになる。また、遊技領域２の左側部には、複数の一般入賞口１０，１０が設けられている。また、一般入賞口１０，１０に対応して、一般入賞口１０，１０に入賞した遊技球を検知する図示しない一般入賞球検知センサがそれぞれ設けられている。
【００４５】
また、遊技領域２の最下端部には、いずれの入賞口にも入賞しなかった遊技球を遊技領域２の外部になる遊技盤１裏面に排出させるアウト口１２が設けられている。また、遊技盤１の前面には、遊技球の流下方向を規制するとともに流下方向を転換する遊技釘８１（一部だけ図示）や風車（図示略）等の流下規制転換部材が設けられている。
【００４６】
次に、前記アタッカ６の構造を詳細に説明する。
アタッカ６は、上述のように遊技盤１の遊技領域２の中央より右側でかつ下側に設けられている。遊技盤１のアタッカ６の取付位置には、アタッカ６の取付開口部（取付穴）が形成されている。アタッカ６は、遊技盤１の取付開口部内から遊技盤１の背面側に突出するように設けられるが、アタッカ６のベース板６４（図４に図示）が遊技盤１の前面に、取付開口部を覆うように固定されている。
【００４７】
すなわち、遊技盤１の前面に沿って設けられるベース板６４によりアタッカ６が遊技盤１に固定されている。なお、図４においてベース板６４を矩形状に図示したが、実際のベース板６４は、遊技盤１の前面のデザインに対応した形状とされる。また、ベース板６４は、アタッカ６専用である必要はなく、アタッカ６近傍の一般入賞口や、演出用ランプ（ＬＥＤ）等の部材を一体に遊技盤１に固定するものであってもよい。
【００４８】
アタッカ６は、上述のベース板６４と、ベース板６４に形成された開口部である上述の大入賞口６１と、大入賞口６１を開閉する上述の開閉扉６２と、大入賞口６１からアタッカ６内部に流入する遊技球が入る内部入賞室６５と、内部入賞室６５の右端部に設けられた内部入賞口６６と、内部入賞口６６を囲むように設けられた上述の大入賞球検知センサ６３と、内部入賞口６６を通過して内部入賞室６５から排出された遊技球を遊技盤１背面の遊技球の回収通路側に導出する導出路６７と、内部入賞室６５の背後に設けられるとともに開閉扉６２を開閉駆動するソレノイド６８と、このソレノイド６８が固定された状態に収納されるソレノイド収納部６９とを備える。
【００４９】
大入賞口６１は、左右に長い矩形状の開口部であり、概略矩形状の開閉扉６２により略閉塞された状態になる。なお、短辺側になる上下方向の長さは、遊技球の直径より長く、遊技球の直径の２倍より短くなっている。また、長辺側になる左右方向の長さは、例えば、遊技球の直径の５、６倍程度になっている。
【００５０】
開閉扉６２は、正面視して矩形板状の本体部７０と、本体部７０の下端部の左右端部にそれぞれ設けられ、図示しない軸がそれぞれ挿入されることにより、これら軸に回転自在に支持される筒状の軸受部７１と、本体部７０の左右端部に遊技盤１の前面に対して略直交する方向に設けられた側板７２と、本体部７０の向って左端部の下部に設けられたロッド受部７３と、本体部７０の下部の左右端部にそれぞれ設けられた誘導片７４とを備える。なお、図２、図３および図４（ａ）において、側板７２の図示を簡略化するために四角状に図示したが、実際は、図４（ｂ）および図５に示すように四角形ではなく、扇状の曲線形状を有するものになっている。
【００５１】
本体部７０は、側面から見た場合に水平方向に沿った折れ目を有する屈曲部を有し、開閉扉６２が閉じた状態で、折れ目より下側の下端部が上に向うほど後に向う斜めの状態とされ、折れ目より上側の中央部から上端までの部分が上に向うほど前に向う斜めの状態になっている。これにより、本体部７０は、正面側が凹んだ状態とされ、背面側が突出した状態されている。また、本体部７０の上端部は、開閉扉６２が閉じた状態で、正面側が略鉛直方向に沿った状態になるように断面が台形状になっている。
【００５２】
また、本体部７０の前面側には、左右に並んで複数のリブ７５が開閉扉６２が閉じた状態で上下方向に沿って（開いた場合に前後方向に沿って）設けられている。リブ７５の背面側は、上述の折り目を有する本体部７０の前面に接合した状態に形成され、リブ７５の正面側は開閉扉６２が閉じた状態で略鉛直方向に沿ったものになっている。
このリブ７５は、上述のように屈曲した本体部７０を屈曲してない状態に見せるためのものであり、リブ７５の前面側にデザインされた図柄を有するシートが貼られることにより、本体部７０の前面が一つの平面に見えるようにしている。
すなわち、開閉扉６２の本体部７０の前面側には、上述のリブ７５により、前記シート等の意匠部材を貼着する貼着面が形成されている。
【００５３】
開閉扉６２の本体部７０を上述のように屈曲した形状としたことにより、本体部の中央部から上端の部分は、開閉扉６２が閉じた状態であっても少しだけ前側に倒れた形状になっており、開閉扉６２を例えば９０度近くまで回転させなくても、開閉扉６２（中央部から上端部）を略水平な状態とすることができる。すなわち、より少ない回転角度で開閉扉６２を開放した状態とすることができる。なお、開閉扉６２の背面は、開放した状態で水平ではなく、遊技球を大入賞口６１側に誘導するように前から後に向うにつれて下るように傾斜した状態とされる。
【００５４】
軸受部７１は、ベース板６４の大入賞口６１の下部の左右端部よりそれぞれ外側の部分に固定された図示しない水平な軸が挿入され、この軸により回転自在に支持されている。軸は、ベース板６４と内部入賞室６５の左右の側壁７６とにより支持されている。側板７２は、開閉扉６２の本体部７０の左右端部に設けられ、略鉛直方向に沿った状態になっている。
【００５５】
開閉扉６２が略水平に倒れて開放した状態では、側板７２が上側に向って延出し、開放された状態の開閉扉６２の背面に遊技球が載った際に、側板７２により、遊技球が開閉扉６２から落下するのを防止し、開閉扉６２に載った遊技球が大入賞口６１に流入するようになっている。なお、対向する一対の側板７２は、開閉扉６２が開放した状態で、前側から後側に向うにつれて互いの間隔が狭くなるように、前後方向に対して僅かに斜めになっている。
【００５６】
ロッド受部７３は、プランジャ型のソレノイド６８の図示しないプランジャに接続されたリンク部材を介してロッド受部７３側に延出する図示しないロッドと係合し、ソレノイド６８の動作に対応して開閉扉６２を開閉するためのものである。なお、ソレノイド６８のプランジャは、水平に配置されるとともに遊技盤１に沿って配置されている。
【００５７】
すなわち、ソレノイド６８は横置きした状態に配置される。プランジャの遊技盤１に沿った左右の運動が、図示しないリンク部材により回転運動に変換され、ロッドはリンク部材の回転運動に対応する円弧に沿いながら所定範囲内で上下に移動する。このロッドが上下動した際に、この上下運動がロッド受部７３を介して開閉扉６２の回転運動に変換されて開閉扉６２が開閉移動するようになっている。
【００５８】
誘導片７４は、開閉扉６２の本体部７０の左右に設けられているが、基本的には右側の誘導片７４だけがあればよい。右側の誘導片７４は、本体部７０の上述の折り目より下側の部分に背面側に突出した状態に設けられている。この右側の誘導片７４は、本体部７０の略右端から本体部７０の左右の中央部側に向って形成されている。この右側の誘導片７４は、右端から中央側に向うにつれて下側に向うように斜めに形成されている。
【００５９】
したがって、開閉扉６２が開放された状態では、右側の誘導片７４は、右端から中央に向うにつれて前から後に向うように斜めに配置される。また、開閉扉６２が開放した状態では、本体部７０の折り目より下側は、上側より傾斜が大きくなっており、遊技球が前から後に転動し易い状態になっている。
【００６０】
したがって、開放した開閉扉６２上の遊技球が前から後ろに転動して右側の誘導片７４に接触した場合には、誘導片７４が右から左に向うにつれて、前から後に傾斜するとともに、上から下に傾斜した状態になっている。これにより遊技球には、前から後に向う方向の力と、右から左に向う力とが作用することになる。
したがって、開いた開閉扉６２の右端部に載った遊技球は、右側の誘導片７４により大入賞口６１に向うとともに左側に向うように誘導される。
【００６１】
左側の誘導片７４は、右側の誘導片７４に対して対称の形状になり、左右が逆になっている以外は、右側の誘導片７４と同様の形状になっている。左側の誘導片７４は、遊技球が開いた開閉扉６２の左端部に載った場合に、遊技球を右側に誘導する。但し、上述のようにアタッカ６に入賞する遊技球の多くは、アタッカ６の右側から流下して開閉扉６２の右端部側に載る状態になるので、左側の誘導片７４により右側に誘導される遊技球は少ない。
【００６２】
なお、左右に誘導片７４を設けたのは、複数の遊技球、例えば３つ以上の遊技球が同時に開いた開閉扉６２上に載った状態になった場合に、これら遊技球が略同時に内部入賞室６５内に流入して、内部入賞室６５内での球詰まりの危険を避けるためである。左右に誘導片７４を設けることによって、開閉扉６２に載った複数の遊技球の多くが左右の誘導片７４に沿って案内されて順番に内部入賞室６５内に流入する状態になる。
【００６３】
内部入賞室６５は、左右の側壁７６と、上側の天板７７と、下側の床板７８と、後側の背板７９とから前側が開放された箱状に形成されている。この内部入賞室６５の前端部は、ベース板６４の背面に接合されており、ベース板６４に形成された大入賞口６１の背面側を覆うように内部入賞室６５がベース板６４の背面に取り付けられている。内部入賞室６５の前面側の開口部は、その左右幅が大入賞口６１より少しだけ広く、上下幅が大入賞口６１の上下幅よりかなり広くなっている。
【００６４】
内部入賞室６５の前面側の開口部の下端部を除く部分と、大入賞口６１とが略対応するようにベース板６４に内部入賞室６５が取り付けられており、内部入賞室６５の開口部の下部側がベース板６４により閉塞された状態になっている。
すなわち、内部入賞室６５の床板７８の高さ位置は、大入賞口６１の下側縁の位置よりも低くなっている。また、床板７８の高さは、閉じた状態の開閉扉６２の下側縁よりも遊技球の直径の半分程度の高さだけ、低くなっている。また、同様に、開いた状態の開閉扉６２の背面の最も低い位置より、床板７８の上面の方が低くなっている。
【００６５】
したがって、開閉扉６２の背面から大入賞口６１を介して内部入賞室６５に流入した遊技球は、一段下側の内部入賞室６５の床板７８上に落下する状態になる。
床板７８は、左側から右側に向って下り傾斜している。なお、床板７８の下面は、左右方向に山と谷とを繰り返す波状に形成されている。
【００６６】
内部入賞室６５の背板７９の右側端部には、内部入賞口６６が設けられており、床板７８の傾斜にしたがって転動した遊技球は、内部入賞口６６を通過して内部入賞室６５から導出路６７に排出される。
【００６７】
この際に、内部入賞口６６を囲むように形成された大入賞球検知センサ６３に遊技球が検知されるようになっている。
なお、大入賞球検知センサ６３は、非接触型のセンサであり、内部入賞口６６になる通過孔を備え、通過孔を通過した鋼球である遊技球を検知可能になっている。
【００６８】
このアタッカ６においては、上述のように主に右側から遊技球が流入する状態になり、開閉扉６２が開いた状態では、アタッカ６に入賞する遊技球は、開閉扉６２の主に右端部状に載った状態になる。この遊技球は、開閉扉６２の背面の傾斜にしたがって、前から後側に転動し、右側の誘導片７４に接触する。
【００６９】
右側の誘導片７４に接触した遊技球は、開閉扉６２の本体部７０の折り目の下側の前から後への傾斜が折り目の上側より大きくなった部分に載るとともに、誘導片７４が右から左に向うにつれて前から後に向うとともに、上から下に向うことから、誘導片７４に沿って斜めに左側に向う。
【００７０】
次に、誘導片７４の先端部の部分で、大入賞口６１から内部入賞室６５内に流下する。内部入賞室６５の床板７８の上面は、開閉扉６２の背面より遊技球の直径の半分程度以上低くなっているので、開閉扉６２の背面から内部入賞室６５に流入する遊技球は落下することになる。
【００７１】
落下する遊技球には、その前に開閉扉６２の背面を転動していたことから、前から後に向う方向の力と、右から左に向う力とが作用するが、最も大きな力は落下による上から下へに向う力になる。落下した遊技球は内部入賞室６５の床板７８上面に衝突する。この際に、床板７８の上面は左から右に下り傾斜しており、床板７８上の遊技球を右側に転動させることになる。しかし、床板７８上に落下した遊技球は、床板７８に対して少し撥ねる状態になり、床板７８の傾斜に対応する転動が遅れる。
【００７２】
また、上述の遊技球の左方向に向う力が大きければ、床板７８に落下する遊技球が一時的に左側に移動した後に右に転動を開始することになる。
なお、内部入賞室６５内の前後幅は、遊技球の直径より少しだけ広いものになっており、遊技球は少しだけしか前後に移動できない。すなわち、内部入賞室６５内の遊技球は、前後移動を規制された状態で左右に移動する状態になる。
【００７３】
次に、床板７８の傾斜に沿って遊技球が右側に転動し、内部入賞室６５の背板７９の右端部に設けられた内部入賞口６６に流入して内部入賞室６５内から排出されるとともに、大入賞球検知センサ６３に検知され、大入賞球検知センサ６３から大入賞信号が制御装置に出力される。大入賞信号が入力された制御装置では、アタッカ６への遊技球の入賞数をカウントアップし、カウント値が所定数に至る場合には、ソレノイド６８を作動させて開いている開閉扉６２を閉じる制御を行う。
【００７４】
以上のようにアタッカ６に入賞する遊技球が移動した場合に、遊技球が開閉扉６２に載ってから内部入賞口６６に流入するのに必要な時間が、例えば、従来のアタッカのように、開閉扉６２と床板７８との間に大きな段差がなく、かつ、開閉扉６２に載った状態から略最短になる距離の経路を辿って内部入賞室６５内の内部入賞口６６に至った場合と比較して、数倍以上の時間を必要とすることになる。これにより、開閉扉６２を閉じる所定数目の遊技球がアタッカに入賞した場合に、開閉扉６２が閉じるまで、従来のアタッカと比較して１秒程度以上の時間が余計にかかることになり、開閉扉６２が開放している間に可変表示装置で行われる演出表示の主要部分の長さを長くすることができる。
【００７５】
なお、主要部分とは、例えば、開閉扉６２が閉じるまでに表示されていることが好ましい部分で、ラウンドごとに順次ストーリが展開していくような大当たり時の演出表示の場合に、ストーリが表示されている部分で、ストーリ部分表示後に開閉扉６２が閉まるまで待機するための演出表示部分を除いた部分である。
【００７６】
なお、まれに開閉扉が閉じる所定数目の遊技球がアタッカの左側から流入し、比較的短時間で遊技球が開閉扉６２上から内部入賞口６６に至る虞があるが、開閉扉６２の開放時の演出表示の主要部が全て表示されない場合があっても、演出上の問題なので遊技機の遊技に問題が生じることはない。しかし、できるだけ、上述の演出表示の主要部が全て表示されることが好ましい。
【００７７】
また、開閉扉が閉じる所定数目の遊技球がアタッカの左側から流入した場合においても、開いた開閉扉６２の背面と、内部入賞室６５の床板７８の上面との間に遊技球の直径の半分程度以上の段差があることから、大きな段差が無い従来のアタッカに比較して、遊技球の床板７８の落下の際の衝撃により、遊技球の内部入賞室６５への流入を遅らせることができる。
【００７８】
また、上述の左右の誘導片７４により、開いた開閉扉６２の背面上に同時に複数の遊技球が載った際、特に３つ以上の遊技球が載った際に、これら遊技球が略同時に内部入賞室に流入するのを抑制することができる。すなわち、左右の誘導片７４に阻害されて、開閉扉６２の背面上の内部入賞室６５内に遊技球が流入可能な左右幅が狭まり、一度に内部入賞室６５に流入可能な遊技球の数が制限される。また、複数の遊技球が１つの誘導片７４に接触した場合に、誘導片７４に沿って遊技球が並べられた状態になり、並んだ遊技球は、順番に時間差を持って内部入賞室６５内に流入することになる。
【００７９】
この際に、内部入賞室６５の床板７８の上面の高さが、開いた開閉扉６２の背面より遊技球の直径の半分程度以上低くなっているので、上述のように誘導片７４に規制されて狭くなった部分から複数の遊技球が内部入賞室６５に連続的に流入した場合に、先に内部入賞室６５に流入した遊技球に邪魔されて次の遊技球が内部入賞室６５に入賞しずらい状態になるのを抑制することができる。
【００８０】
また、開いた開閉扉６２の背面に載った複数の遊技球が左右の誘導片７４により内部入賞室６５の中央部に流入するのに対して、内部入賞口６６が内部入賞室６５の右端部にあるので、内部入賞室６５に流入した複数の遊技球が内部入賞室６５内で左右に並んで順次内部入賞口６６に流入する状態になる。なお、複数の遊技球が同時に内部入賞口６６に流入しようとしても、一度に１つの遊技球しか内部入賞口６６を通過できないので、これが遊技球の円滑な内部入賞口６６への流入の妨げになる。
【００８１】
以上のことから、複数の遊技球が同時に開いた開閉扉６２の背面に載った状態になっても、これら遊技球を円滑に内部入賞口６６に流入させることができ、球詰まりの発生を抑制することができる。
【００８２】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００８３】
１      遊技盤
２      遊技領域
６      アタッカ（特別変動入賞装置）
６１    大入賞口（開口部）
６２    開閉扉
６３    大入賞球検知センサ（入賞検知手段）
６５    内部入賞室
６６    内部入賞口
７４    誘導片
７８    床板
【図１】
2012170585.tif 000003
【図２】
2012170585.tif 000004
【図３】
2012170585.tif 000005
【図４】
2012170585.tif 000006
【図５】
2012170585.tif 000007